(57)【要約】      （修正有）【課題】毛髮の加熱やスタイリングの効果を十分に奏することができるヘアアイロンを提供する。【解決手段】ヘアアイロンは、ハンドル部１２３と、ハンドル部内に設けられた回路アセンブリと、ハンドル部内の前端に設けられたモータと、ハンドル部の前端部に設けられ、モータと動力伝達可能に連結するヒートパイプ１９と、ヒートパイプ内に設けられた発熱体アセンブリと、ヒートパイプの外周に設けられ、モータと動力伝達可能に連結する髪巻き付け用留め具１８と、ヒートパイプの外周に設けられ、髪巻き付け用留め具を包囲する保護シェル２３４と、を備える。保護シェルは、毛髪を入れるための軸方向に延びる開口部２３５を有し、回路アセンブリがモータ、発熱体アセンブリと電気的に接続する。ヘアアイロンは、開口部から保護シェルとヒートパイプとの間の空間に毛髮を入れることができ、髪巻き付け用留め具で毛髮を留めて毛髮をヒートパイプ内に保持させる。【選択図】図１
0003230342.tif 000002
【実用新案登録請求の範囲】
【請求項１】
ヘアアイロンであって、ハンドル部と、前記ハンドル部内に設けられた回路アセンブリと、前記ハンドル部内の前端に設けられたモータと、前記ハンドル部の前端部に設けられ、前記モータと動力伝達可能に連結するヒートパイプと、前記ヒートパイプ内に設け得られた発熱体アセンブリと、前記ヒートパイプの外周に設けられ、前記モータと動力伝達可能に連結する髪巻き付け用留め具と、前記ヒートパイプの外周に設けられ、前記髪巻き付け用留め具を包囲する保護シェルと、を備え；前記保護シェルは、毛髪を入れるための軸方向に延びる開口部を有し、前記回路アセンブリが前記モータ、前記発熱体アセンブリと電気的に接続することを特徴とする、ヘアアイロン。
【請求項２】
前記保護シェルの頂端に前記ヒートパイプ頂部を外嵌するガイドリングが設けられることを特徴とする、請求項１に記載のヘアアイロン。
【請求項３】
前記モータは、コネクタアセンブリと接続し、前記コネクタアセンブリがコネクタと、回転キャップと、弾性片アセンブリと、弾性片エンドキャップと、を備え、前記回転キャップが前記モータの出力軸に直接連結され、前記弾性片アセンブリが各々前記回路アセンブリおよび前記発熱体アセンブリと連結し、前記コネクタおよび前記回転キャップが前記弾性片アセンブリを介して動力伝動可能に連結され、前記ヒートパイプ、前記髪巻き付け用留め具が前記コネクタと接続することを特徴とする、請求項２に記載のヘアアイロン。
【請求項４】
前記弾性片アセンブリは、第１弾性片と、第２弾性片と、第３弾性片と、第４弾性片と、を備え、前記第１弾性片、前記第２弾性片が互いに接触し、前記回転キャップによって前記弾性片エンドキャップの内端面に押し当てられ、前記第３弾性片、前記第４弾性片が互いに接触し、前記コネクタによって前記弾性片エンドキャップの外端面に押し当てられ、前記回転キャップに前記第２弾性片、前記第３弾性片を規制して前記第２弾性片、前記第３弾性片を連動させる係止部が設けられ、前記第２弾性片、前記第３弾性片が嵌合を通じて電気的接触を実現し、前記第１弾性片が前記回路アセンブリと電気的に接続し、前記第４弾性片が前記発熱体アセンブリと電気的に接続することを特徴とする、請求項３に記載のヘアアイロン。
【請求項５】
前記コネクタの前記ヒートパイプに対応する側に前記ヒートパイプの外径に対応する段付き穴が設けられ、前記ヒートパイプは、前記段付き穴内に設けられることを特徴とする、請求項３に記載のヘアアイロン。
【請求項６】
前記段付き穴内のステップに規制溝がさらに設けられ、前記ヒートパイプの前記規制溝に対応する位置に前記規制溝に挿入される規制部が設けられることを特徴とする、請求項５に記載のヘアアイロン
【請求項７】
前記コネクタは、半径方向に延びる凸状縁を有し、前記髪巻き付け用留め具が前記凸状縁に固定されることを特徴とする、請求項３に記載のヘアアイロン。
【請求項８】
前記ヒートパイプ内に放熱器がさらに設けられ、前記発熱体アセンブリは、前記放熱器に設けられ、前記放熱器が前記ヒートパイプの内壁と接触することを特徴とする、請求項１に記載のヘアアイロン。
【請求項９】
前記放熱器は、２つの半円形放熱パネルを備え、前記２つの半円形放熱パネルは、対向して配置され、前記発熱体アセンブリをその間に挟持し、前記半円形放熱パネルの半円形放熱面が前記ヒートパイプの内壁と接触することを特徴とする、請求項８に記載のヘアアイロン。
【請求項１０】
前記半円形放熱パネル内に設けられたヒューズをさらに備えることを特徴とする、請求項９に記載のヘアアイロン。
【考案の詳細な説明】
【技術分野】
【０００１】
本考案は、ヘアケア美容家電技術分野に属し、特に、ヘアアイロンに関する。
【背景技術】
【０００２】
ヘアアイロンは、ヘアケア美容家電であり、加熱方法によって毛髮をカールにさせることで、ヘアアレンジの効果を奏する。
【０００３】
ヘアアイロンは、通常ハンドル部と、ハンドル部の前端に設けられたヒートパイプと、を備え、ハンドル部内に通常回路アセンブリ、駆動装置が設けられ、ヒートパイプ内に発熱体アセンブリが設けられる。駆動装置は、ヒートパイプの回転を駆動させることで、カール動作を実現でき、発熱体アセンブリがヒートパイプを発熱させ、ヒートパイプに巻き付けられた毛髮を加熱してスタイリングを実現する。
【０００４】
従来のヘアアイロンは、毛髪を上手く巻き上げることができないため、カーリング効果を奏することができず、同時に、露出したヒートパイプは使用者の使用時火傷を容易に引き起こす。
【考案の概要】
【考案が解決しようとする課題】
【０００５】
それ故に、本考案は、上記技術的課題を解決するため、ヘアアイロンを提供することを目的とする。
【課題を解決するための手段】
【０００６】
本考案は、上記目的を達成するため、次の技術的手段を講じた。
ヘアアイロンであって、ハンドル部と、ハンドル部内に設けられた回路アセンブリと、ハンドル部内の前端に設けられたモータと、前記ハンドル部の前端部に設けられ、前記モータと動力伝達可能に連結するヒートパイプと、前記ヒートパイプ内に設けられた発熱体アセンブリと、前記ヒートパイプの外周に設けられ、前記モータと動力伝達可能に連結する髪巻き付け用留め具と、前記ヒートパイプの外周に設けられ、前記髪巻き付け用留め具を包囲する保護シェルと、を備え；前記保護シェルは、毛髪を入れるための軸方向に延びる開口部を有し、前記回路アセンブリが前記モータ、発熱体アセンブリと電気的に接続する。
【０００７】
好ましくは、前記保護シェルの頂端に前記ヒートパイプ頂部を外嵌するガイドリングが設けられる。
【０００８】
好ましくは、前記モータは、コネクタアセンブリと接続し、前記コネクタアセンブリがコネクタと、回転キャップと、弾性片アセンブリと、弾性片エンドキャップと、を備え、前記回転キャップが前記モータの出力軸に直接連結され、前記弾性片アセンブリが各々前記回路アセンブリおよび前記発熱体アセンブリと連結し、前記コネクタおよび前記回転キャップが前記弾性片アセンブリを介して動力伝動可能に連結され、前記ヒートパイプ、髪巻き付け用留め具が前記コネクタと接続する。
【０００９】
好ましくは、前記弾性片アセンブリは、第１弾性片と、第２弾性片と、第３弾性片と、第４弾性片と、を備え、前記第１弾性片、第２弾性片が互いに接触し、前記回転キャップによって前記弾性片エンドキャップの内端面に押し当てられ、前記第３弾性片、第４弾性片が互いに接触し、前記コネクタによって前記弾性片エンドキャップの外端面に押し当てられ、前記回転キャップに前記第２弾性片、第３弾性片を規制して前記第２弾性片、第３弾性片を連動させる係止部が設けられ、前記第２弾性片、第３弾性片が嵌合を通じて電気的接触を実現し、前記第１弾性片が前記回路アセンブリと電気的に接続し、前記第４弾性片が前記発熱体アセンブリと電気的に接続する。
【００１０】
好ましくは、前記コネクタの前記ヒートパイプに対応する側に前記ヒートパイプの外径に対応する段付き穴が設けられ、前記ヒートパイプは前記段付き穴内に設けられる。
【００１１】
好ましくは、前記段付き穴内のステップに規制溝がさらに設けられ、前記ヒートパイプの前記規制溝に対応する位置に前記規制溝に挿入される規制部が設けられる。
【００１２】
好ましくは、前記コネクタは、半径方向に延びる凸状縁を有し、前記髪巻き付け用留め具が前記凸状縁に固定される。
【００１３】
好ましくは、前記ヒートパイプ内に放熱器がさらに設けられ、前記発熱体アセンブリは前記放熱器に設けられ、前記放熱器が前記ヒートパイプの内壁と接触する。
【００１４】
好ましくは、前記放熱器は、２つの半円形放熱パネルを備え、前記２つの半円形放熱パネルは、対向して配置され、前記発熱体アセンブリをその間に挟持し、前記半円形放熱パネルの半円形放熱面が前記ヒートパイプの内壁と接触する。
【００１５】
好ましくは、前記半円形放熱パネル内に設けられたヒューズをさらに備える。
【考案の効果】
【００１６】
従来技術と比較して、本考案は、次の有利な効果を奏する。
保護シェルは、ヒートパイプの外周に設けられると共に前記髪巻き付け用留め具を包囲し、かつ前記保護シェルが毛髪を入れるための軸方向に延びる開口部を有し、こうすることで開口部から保護シェルとヒートパイプとの間の空間に毛髮を入れることができ、髪巻き付け用留め具で毛髮を留めて毛髮をヒートパイプ内に保持させることで、毛髮の加熱やスタイリングの効果を十分に奏することができる。
【図面の簡単な説明】
【００１７】
【図１】本考案によって提供されるヘアアイロンの構造模式である。
【図２】本考案によって提供されるヘアアイロンの構造分解図である。
【図３】本考案によって提供されるヘアアイロンの構造断面図ある。
【図４】本考案によって提供されるヘアアイロンの伝動構造模式図である。
【図５】本考案によって提供される発熱体アセンブリの構造模式図である。
【考案を実施するための形態】
【００１８】
以下、本考案の目的、技術的手段及び利点をより明確させるため、添付図面及び実施例を参照しつつ本考案を詳細に説明する。ここで記述されている具体的実施例は、あくまでも本考案の技術内容を明らかにするものであって、本考案を限定しないことを理解すべきである。
【実施例１】
【００１９】
図１乃至図４に示すように、本考案は、ヘアアイロンを提供する。前記ヘアアイロンは、ハンドル部１２３と、ハンドル部１２３内に設けられた回路アセンブリ４と、ハンドル部１２３内の前端に設けられたモータ１０と、前記ハンドル部１２３の前端部に設けられ、前記モータ１０と動力伝達可能に連結するヒートパイプ１９と、前記ヒートパイプ１９内に設けられた発熱体アセンブリ２６７と、前記ヒートパイプ１９の外周に設けられ、前記モータ１０と動力伝達可能に連結する髪巻き付け用留め具１８と、前記ヒートパイプ１９の外周に設けられ、前記髪巻き付け用留め具１８を包囲する保護シェル２３４と、を備え；前記保護シェル２３４は、毛髪を入れるための軸方向に延びる開口部２３５を有し、前記回路アセンブリ４が前記モータ１０、発熱体アセンブリ２６７と電気的に接続する。
【００２０】
図２に示すように、ハンドル部１２３は、ハンドルスリーブ１と、インナーハンドル２と、インナーハンドル蓋３と、を備え、インナーハンドル２に電源／温度調整ボタン５、透明ライトシート６と、左回転ボタン７および右回転ボタン８が設けられ、各ボタンが前記回路アセンブリ４上の対応ボタンに対応し、透明ライトシート６が回路アセンブリ４上の光を表示するために用いられる。モータ１０は、モータ蓋９を通じてインナーハンドル２に固定される。ハンドル部１２３の末端に回転コネクタ３６およびブッシング３４が設けられることで、電源コードの設置構造とする。
【００２１】
さらに、前記保護シェル２３４の頂端に前記ヒートパイプ１９頂部を外嵌するガイドリング２３６が設けられる。ガイドリング２３６は、毛髮がヒートパイプ１９の頂部から出てくるのを防ぐことができるだけではなく、ヒートパイプ１９の移動ガイドの作用も提供できる。
【００２２】
本実施例において、前記モータ１０は、コネクタアセンブリと接続し、前記コネクタアセンブリがコネクタ１４と、回転キャップ１１と、弾性片アセンブリ１３と、弾性片エンドキャップ１２と、を備え、前記回転キャップ１１が前記モータ１０の出力軸に直接連結され、前記弾性片アセンブリ１３が各々前記回路アセンブリ４および前記発熱体アセンブリ２６７と連結し、前記コネクタ１４および前記回転キャップ１１が前記弾性片アセンブリ１３を介して動力伝動可能に連結され、前記ヒートパイプ１９、髪巻き付け用留め具１８が前記コネクタ１４と接続する。
【００２３】
さらに、図３に示すように、前記弾性片アセンブリ１３は、第１弾性片１３１と、第２弾性片１３２と、第３弾性片１３３と、第４弾性片１３４と、を備え、前記第１弾性片１３１、第２弾性片１３２が互いに接触し、前記回転キャップ１１によって前記弾性片エンドキャップ１２の内端面に押し当てられ、前記第３弾性片１３３、第４弾性片１３４が互いに接触し、前記コネクタ１４によって前記弾性片エンドキャップ１２の外端面に押し当てられ、前記回転キャップ１１に前記第２弾性片１３２、第３弾性片１３３を規制して前記第２弾性片１３２、第３弾性片１３３を連動させる係止部（図示せず）が設けられ、前記第２弾性片１３２、第３弾性片１３３が嵌合を通じて電気的接触を実現し、前記第１弾性片１３１が前記回路アセンブリ４と電気的に接続し、前記第４弾性片１３４が前記発熱体アセンブリ２６７と電気的に接続する。弾性片アセンブリ１３、コネクタ１４、回転キャップ１１および弾性片エンドキャップ１２を通じて、弾性片アセンブリ１３と発熱体アセンブリ２６７との電気的な接続を実現し、直接ワイヤハーネスによる接続方法を避け、こうすることで発熱体アセンブリ２６７がヒートパイプ１９に追従して回転する時でも線の絡み合う問題が起きない。
【００２４】
図５を参照すると、発熱体アセンブリ２６７は、シート状発熱体２７と、絶縁紙２６と、リード２８と、を備え、第４弾性片１３４が前記リード２８と電気的に接続する。
【００２５】
本実施例において、前記コネクタ１４の前記ヒートパイプ１９に対応する側に前記ヒートパイプ１９の外径に対応する段付き穴（図示せず）が設けられ、前記ヒートパイプ１９は前記段付き穴内に設けられる。段付き穴を利用して組み立ておよび位置決めを容易に実施できる。
【００２６】
さらに、図３および４に示すように、前記段付き穴内のステップに規制溝（図示せず）がさらに設けられ、前記ヒートパイプ１９の前記規制溝に対応する位置に前記規制溝に挿入される規制部（図示せず）が設けられる。
【００２７】
本実施例において、図３および図４に示すように、前記コネクタ１４は、半径方向に延びる凸状縁（図示せず）を有し、前記髪巻き付け用留め具１８が前記凸状縁に固定される。
【００２８】
本実施例において、前記ヒートパイプ１９内に放熱器１５がさらに設けられ、前記発熱体アセンブリ２６７は前記放熱器１５に設けられ、前記放熱器１５が前記ヒートパイプ１９の内壁と接触する。
【００２９】
具体的に、前記放熱器１５は、２つの半円形放熱パネルを備え、前記２つの半円形放熱パネルは、対向して配置され、前記発熱体アセンブリ２６７をその間に挟持し、前記半円形放熱パネルの半円形放熱面が前記ヒートパイプ１９の内壁と接触する。半円形放熱パネルの構造は、ヒートパイプ１９の内壁の接触面積よりも十分に大きい面積を提供し、同時に発熱体アセンブリ２６７がその間に挟持され、十分な熱伝導面積を確保し、熱伝導率も高く、発熱効果もより良好となる。
【００３０】
さらに、図３および図４に示すように、ヘアアイロンは、ヒューズ１７をさらに含み、前記ヒューズ１７がヒューズスリーブ１６を介して前記半円形放熱パネル内に設けられる。
【００３１】
本考案では好ましい実施例を前述の通り開示したが、これらは決して本考案に限定するものではなく、当該技術を熟知する者なら誰でも、本考案の精神と原則を脱しない範囲において種々の改良変更、均等物の置換をなし得ることは、本考案の保護範囲内に含めるものであるのが勿論である。
【図１】
0003230342.tif 000003
【図２】
0003230342.tif 000004
【図３】
0003230342.tif 000005
【図４】
0003230342.tif 000006
【図５】
0003230342.tif 000007